(57)【要約】      （修正有）【課題】操作性ないし使用感を損ねることなくＩＤ及びパスワードをセキュリティ高く管理するＩＤ・パスワード出力装置及び出力プログラムを提供する。【解決手段】ＩＤと、ＩＤに対するパスワードと、ＩＤが何に関するＩＤであるかを想起させる想起名称と、サイン情報と、をＩＤ毎に組にして複数記憶した組情報格納部１３０と、想起名称を指定する想起名称指定部２０１と、想起名称が指定された場合に、サイン入力画面を表示するサイン入力画面表示部２０２と、サイン入力画面に対して入力されたサインを、組情報格納部１３０に記憶された想起名称にかかるサイン情報に基づいて認証するサイン認証部２０３と、サイン入力画面に対して入力されたサインが認証された場合に、想起名称にかかるＩＤとパスワードとを組情報格納部１３０から出力するＩＤ・パスワード出力部２０４と、を具備する。【選択図】図２
2016110547.tif 000002
【特許請求の範囲】
【請求項１】
ＩＤと、当該ＩＤに対するパスワードと、当該ＩＤが何に関するＩＤであるかを想起させる想起名称と、サイン情報と、をＩＤ毎に組にして複数記憶した組情報記憶手段と、
想起名称を指定する想起名称指定手段と、
想起名称指定手段により想起名称が指定された場合に、サイン入力画面を表示するサイン入力画面表示手段と、
サイン入力画面表示手段により表示されたサイン入力画面に対して入力されたサインを、組情報記憶手段に記憶された当該想起名称にかかるサイン情報に基づいて認証するサイン認証手段と、
サイン認証手段により前記入力されたサインが認証された場合に、当該想起名称にかかるＩＤとパスワードとを組情報記憶手段から出力するＩＤ・パスワード出力手段と、
を具備したことを特徴とするＩＤ・パスワード出力装置。
【請求項２】
ＩＤと、当該ＩＤに対するパスワードと、当該ＩＤが何に関するＩＤであるかを想起させる想起名称と、の三情報を入力する三情報入力画面を表示する三情報入力画面表示手段と、
サイン登録画面を表示するサイン登録画面表示手段と、
サイン登録画面表示手段により表示されたサイン登録画面に対して入力されたサインに基づき、サイン情報を生成するサイン情報生成手段と、
三情報入力画面表示手段により表示された三情報入力画面に対して入力された三情報と、サイン情報生成手段により生成されたサイン情報とを、組にして組情報記憶手段に記憶させる組情報記憶管理手段と、
を具備したことを特徴とする請求項１に記載のＩＤ・パスワード出力装置。
【請求項３】
コンピュータ上またはネットワーク上に、ＩＤと、当該ＩＤに対するパスワードと、当該ＩＤが何に関するＩＤであるかを想起させる想起名称と、サイン情報と、がＩＤ毎に組となって複数記憶されており、
当該コンピュータを、
想起名称を指定する想起名称指定手段、
想起名称指定手段により想起名称が指定された場合に、サイン入力画面を表示するサイン入力画面表示手段、
サイン入力画面表示手段により表示されたサイン入力画面に対して入力されたサインを、前記想起名称指定手段により指定された想起名称にかかるサイン情報に基づいて認証するサイン認証手段、および、
サイン認証手段により前記入力されたサインが認証された場合に、当該想起名称にかかるＩＤとパスワードとを出力するＩＤ・パスワード出力手段、
として機能させることを特徴とするＩＤ・パスワード出力プログラム。
【請求項４】
コンピュータを、更に、
ＩＤと、当該ＩＤに対するパスワードと、当該ＩＤが何に関するＩＤであるかを想起させる想起名称と、の三情報を入力する三情報入力画面を表示する三情報入力画面表示手段、
サイン登録画面を表示するサイン登録画面表示手段、
サイン登録画面表示手段により表示されたサイン登録画面に対して入力されたサインに基づき、サイン情報を生成するサイン情報生成手段、および、
三情報入力画面表示手段により表示された三情報入力画面に対して入力された三情報と、サイン情報生成手段により生成されたサイン情報とを、組にしてコンピュータにまたはネットワーク上に記憶させる組情報記憶管理手段、
として機能させることを特徴とする請求項３に記載のＩＤ・パスワード出力プログラム。
【発明の詳細な説明】
【技術分野】
【０００１】
本発明は、ＩＤとパスワードとの組をセキュリティ高くかつ簡便に複数管理するＩＤ・パスワード出力技術に関し、特に、サインを用いたＩＤ・パスワード出力装置ないしプログラムに関する。
【背景技術】
【０００２】
近年のコンピュータ社会、ネットワーク社会の発達に伴い、各種の認証情報が多数要求される。たとえば、クレジットカードの利用、アプリケーションや音楽その他のコンテンツのダウンロードなど、ｗｅｂサイトを介したサービスを受けようとすると、ログイン情報としてＩＤとこれに付随したパスワードの入力が要求される。
【０００３】
ここで、頻繁に利用するＩＤやパスワードであれば暗記できるが、必ずしも頻繁に用いるＩＤでなかったり、自分で設定し直すことができない付与された長いＩＤであったりすると、それがそもそもどのようなサービスに対するＩＤであるかが分からず、パスワードも不明であることがよく発生する。
【０００４】
この場合、たとえば、入会案内のような紙媒体の登録情報を探しだす必要があり、作業性が悪くなるという問題点があった。また、これを避けるため、パソコン周辺にＩＤとパスワードとを付箋で張り付ける利用者もおり、セキュリティが低くなるという問題点もあった。
【０００５】
また、利用者によっては、重要度やカテゴリーに応じてパスワードをいくつかにクラス分けして固定し、これを使い分けることでセキュリティを保ちながら作業性も確保する方法を採用する者もいる。
【０００６】
しかしながら、近年、スマートフォンやタブレットなどが普及し、外出先からＩＤとパスワードを入力する必要があることがある。このときパスワードを取り違えて複数回入力してしまい、パスワードを再設定して以前のパスワードが使えなくなる場合がある。したがって、結局、パスワードが意図せず多数化してしまい、結局管理できなくなるという問題点もあった。
【先行技術文献】
【特許文献】
【０００７】
【特許文献１】特開平０６−２６６７３０
【特許文献２】特開２００２−０７３５７１
【発明の概要】
【発明が解決しようとする課題】
【０００８】
本発明は上記に鑑みてなされたものであって、操作性ないし使用感を損ねることなくＩＤおよびパスワードをセキュリティ高く管理可能とすることを目的とする。
【課題を解決するための手段】
【０００９】
請求項１に記載のＩＤ・パスワード出力装置は、ＩＤと、当該ＩＤに対するパスワードと、当該ＩＤが何に関するＩＤであるかを想起させる想起名称と、サイン情報と、をＩＤ毎に組にして複数記憶した組情報記憶手段と、想起名称を指定する想起名称指定手段と、想起名称指定手段により想起名称が指定された場合に、サイン入力画面を表示するサイン入力画面表示手段と、サイン入力画面表示手段により表示されたサイン入力画面に対して入力されたサインを、組情報記憶手段に記憶された当該想起名称にかかるサイン情報に基づいて認証するサイン認証手段と、サイン認証手段により前記入力されたサインが認証された場合に、当該想起名称にかかるＩＤとパスワードとを組情報記憶手段から出力するＩＤ・パスワード出力手段と、を具備したことを特徴とする。
【００１０】
すなわち、請求項１に係る発明は、事実上本人しか適正に入力できないサインを用い、操作性および安全性の高いＩＤ・パスワード管理を実現する。また、使い方ないし設計により操作性は維持しながら安全性をより高めることもできる。たとえば、想起名称を所望のサービス等の隠喩表現とし、サインを想起名称毎に異ならせるようにし、サイン認証も他人受入率の低い技術を採用する例を挙げることができる。
【００１１】
なお、ＩＤとは、広く、お客様情報、シリアルナンバー、ログインネーム等と称されるものを含み、パスワードと組となりサービスを享受可能となる情報であれば特に限定されない。ＩＤ毎に組にして、とは、ＩＤと想起名称とが組になっているので、想起名称毎に組にして、と表現することもでき同義である。サイン認証技術は特に限定されない。すなわちどのような情報に基づきどのような認証技術によるかは使用の態様による。たとえば、単なる画像認識技術、具体的には、丸を描画して、それがサイン情報と一致ないし近接していれば、認証するという簡易なのもでもよく、筆圧や筆跡、軌跡等、生体認証技術ないしそれに近いレベルを要求して認証する高度なものでもよい。出力とは、モニタ上に表示する態様が一般的であるが、これに限定されず、印刷、音声出力などであってもよい。
【００１２】
請求項２に記載のＩＤ・パスワード出力装置は、請求項１に記載のＩＤ・パスワード出力装置において、ＩＤと、当該ＩＤに対するパスワードと、当該ＩＤが何に関するＩＤであるかを想起させる想起名称と、の三情報を入力する三情報入力画面を表示する三情報入力画面表示手段と、サイン登録画面を表示するサイン登録画面表示手段と、サイン登録画面表示手段により表示されたサイン登録画面に対して入力されたサインに基づき、サイン情報を生成するサイン情報生成手段と、三情報入力画面表示手段により表示された三情報入力画面に対して入力された三情報と、サイン情報生成手段により生成されたサイン情報とを、組にして組情報記憶手段に記憶させる組情報記憶管理手段と、を具備したことを特徴とする。
【００１３】
すなわち、請求項２に係る発明は、ＩＤと、当該ＩＤに対するパスワードと、当該ＩＤが何に関するＩＤであるかを想起させる想起名称と、サイン情報と、をＩＤ毎に組にして複数記憶させることができ、利便性を高める。
【００１４】
サイン情報は、用いる認証技術、すなわち、パタン認識や画像認識に用いる情報として生成してもよく、サイン認証すなわち書きグセ等本人でなければ認証されない情報として生成してもよい。このとき、複数回サインを書かせ、精度を高めるようにしてもよい。
【００１５】
請求項３に記載のＩＤ・パスワード出力プログラムは、コンピュータ上またはネットワーク上に、ＩＤと、当該ＩＤに対するパスワードと、当該ＩＤが何に関するＩＤであるかを想起させる想起名称と、サイン情報と、がＩＤ毎に組となって複数記憶されており、当該コンピュータを、想起名称を指定する想起名称指定手段、想起名称指定手段により想起名称が指定された場合に、サイン入力画面を表示するサイン入力画面表示手段、サイン入力画面表示手段により表示されたサイン入力画面に対して入力されたサインを、前記想起名称指定手段により指定された想起名称にかかるサイン情報に基づいて認証するサイン認証手段、および、サイン認証手段により前記入力されたサインが認証された場合に、当該想起名称にかかるＩＤとパスワードとを出力するＩＤ・パスワード出力手段、として機能させることを特徴とする。
【００１６】
すなわち、請求項３に係る発明は、事実上本人しか適正に入力できないサインを用い、操作性および安全性の高いＩＤ・パスワード管理を実現する。また、使い方ないし設計により操作性は維持しながら安全性をより高めることもできる。
【００１７】
なお、ネットワーク上に記憶されている、とは、イントラネットやインターネットを含み、広く、ネットワークに接続されたいずれかのハードウェア資源に記憶されていることを意味する。サーバ装置上に記憶される例を挙げることができる。また、「想起名称指定手段により指定された想起名称にかかるサイン情報」や、「当該想起名称に係るＩＤとパスワード」は、コンピュータ上またはネットワーク上から呼び出すまたは取得されるものである。
【００１８】
請求項４に記載のＩＤ・パスワード出力プログラムは、請求項３に記載のＩＤ・パスワード出力プログラムにおいて、コンピュータを、更に、ＩＤと、当該ＩＤに対するパスワードと、当該ＩＤが何に関するＩＤであるかを想起させる想起名称と、の三情報を入力する三情報入力画面を表示する三情報入力画面表示手段、サイン登録画面を表示するサイン登録画面表示手段、サイン登録画面表示手段により表示されたサイン登録画面に対して入力されたサインに基づき、サイン情報を生成するサイン情報生成手段、および、三情報入力画面表示手段により表示された三情報入力画面に対して入力された三情報と、サイン情報生成手段により生成されたサイン情報とを、組にしてコンピュータにまたはネットワーク上に記憶させる組情報記憶管理手段、として機能させることを特徴とする。
【００１９】
すなわち、請求項４に係る発明は、ＩＤと、当該ＩＤに対するパスワードと、当該ＩＤが何に関するＩＤであるかを想起させる想起名称と、サイン情報と、をＩＤ毎に組にして複数記憶させることができ、利便性を高める。
【発明の効果】
【００２０】
本発明によれば、操作性ないし使用感を損ねることなくＩＤおよびパスワードをセキュリティ高く管理することができる。
【図面の簡単な説明】
【００２１】
【図１】ＩＤ・パスワード出力装置のハードウェア構成例を示した説明図である。
【図２】ＩＤ・パスワード出力装置の機能的構成の例を示した説明図である。
【図３】ＩＤ・パスワード出力装置の画面構成例を示した説明図である。
【図４】組情報をネットワーク上に置いた場合の機能的構成の例を示した説明図である。
【発明を実施するための形態】
【００２２】
以下、本発明の実施の形態を図面を参照しながら詳細に説明する。
ここでは、本発明のＩＤ・パスワード出力プログラムをパーソナルコンピュータ（ＰＣ）にインストールし、ＰＣをＩＤ・パスワード出力装置として機能させる態様について説明する。また、用いるパーソナルコンピュータは、タッチパネル機能付きのデスクトップパソコンであるとする。
【００２３】
図１は、ＩＤ・パスワード出力装置のハードウェア構成の例を示した説明図である。図２は、ＩＤ・パスワード出力装置の機能的構成の例を示した説明図である。図３は、ＩＤ・パスワード出力装置の画面構成例を示した説明図である。
【００２４】
＜ＩＤ・パスワード出力装置のハードウェア構成＞
図１に示したように、ＩＤ・パスワード出力装置１は、そのハードウェア構成として、ＣＰＵ１０１と、ＲＯＭ１０２と、ＲＡＭ１０３と、ハードディスク（ＨＤＤ）１０４と、グラフィックスカード１０５と、タッチパネル機能付モニタ１０６と、タッチパネル機能付モニタ１０６へ文字等を手書きする際に用いるスタイラスペン１６１と、キーボード（Ｋ／Ｂ）１０７と、マウス（ＭＯＵＳＥ）１０８と、ネットワークインターフェースカード（ＮＩＣ）１０９と、を有する。なお、以降においてタッチパネル機能付モニタ１０６を適宜タッチパネル１０６と称する。
【００２５】
ＣＰＵ１０１は、ＯＳとともにＩＤ・パスワード出力装置１全体を制御し、タッチパネル１０６から筆跡等に関する情報を入力し、サイン情報と付き合わせて認証をおこない、該当するＩＤとパスワードを表示させる。このほかＣＰＵ１０１は、通信制御やハードディスク１０４に格納されている作業データをＲＡＭ１０３に一時保存する制御等もおこなう。
【００２６】
ＲＯＭ１０２は、ブートプログラム等を記憶する。使用の態様によっては、ＲＯＭ１０２は、ＩＤ・パスワード出力装置１の制御プログラムを格納しておいてもよい。ＲＡＭ１０３は、ＣＰＵ１０１のワークエリアとして使用する。具体的には、ハードディスク１０４から読み出されたデータ内容やプログラム内容などを一時的に格納する。
【００２７】
ハードディスク１０４は、オペレーティングシステム（ＯＳ）、アプリケーションプログラムを記憶するほか、三情報とサイン情報とを組にして記憶する。ハードディスクの構成については後述する。
【００２８】
グラフィックスカード１０５は、タッチパネル１０６へ出力すべき画像信号を送出する。グラフィックスカード１０５は、出力すべき画像信号を格納するＶＲＡＭと、処理された画像信号をタッチパネル１０６へ出力する画像出力インターフェース（画像出力Ｉ／Ｆ）も備える。
【００２９】
ＮＩＣ１０９は、ＩＤ・パスワード出力装置１をネットワークＮに接続する。ネットワークＮに接続することにより、ネットワーク上たとえばクラウドサービスにおいて記憶されたサイン情報等を取得することも可能となる。
【００３０】
ハードディスク１０４は、アプリケーション部１１０と組情報格納部１３０とにより構成される。
【００３１】
アプリケーション部１１０は、ＩＤ・パスワード出力装置１全体を制御するＯＳ１１１と、ＩＤとその他情報を紐付けて管理するＩＤ管理プログラム群１１２とにより構成される。
【００３２】
ＩＤ管理プログラム群１１２は、想起名称のリストを表示するリスト表示プログラム１２１と、利用者にサインを入力させるサイン入力画面を表示するサイン入力画面表示プログラム１２２と、サイン認証をおこなうサイン認証プログラム１２３と、ＩＤ、および／または、パスワード、および／または、想起名称、および／または、サイン情報を組情報格納部１３０から読み出すもしくは書き込む組情報入出プログラム１２４と、ＩＤと当該ＩＤに対するパスワードとを表示するＩＤ・パスワード表示プログラム１２５と、ＩＤと、当該ＩＤに対するパスワードと、当該ＩＤが何に関するＩＤであるかを想起させる想起名称と、の三情報を入力する三情報入力画面を表示する三情報入力画面表示プログラム１２６と、サイン情報を生成するサイン情報生成プログラムと１２７、を有する。
【００３３】
また、組情報格納部１３０は、ＩＤと、当該ＩＤに対するパスワードと、当該ＩＤが何に関するＩＤであるかを想起させる想起名称と、これらと組にするサイン情報と、を紐付けて記憶する。この組となっている４つの情報を適宜組情報と称することとする。
【００３４】
＜ＩＤ・パスワード出力装置の機能的構成＞
次に、ＩＤ・パスワード出力装置１の機能的構成について説明する。図２に示したように、ＩＤ・パスワード出力装置１は、その機能的構成として、想起名称指定部２０１と、サイン入力画面表示部２０２と、サイン認証部２０３と、ＩＤ・パスワード出力部２０４と、三情報入力画面表示部２０５と、サイン登録画面表示部２０６と、サイン情報生成部２０７と、組情報記憶管理部２０８と、を有する。
【００３５】
想起名称指定部２０１は、タッチパネル１０６上に想起名称のリストを表示させ、想起名称を指定する。実際の操作は、タッチパネル１０６を利用者がタッチしてリスト中から特定の想起名称を選択することにより指定がなされる。
【００３６】
想起名称のリストの例を図３（ａ）に示した。ＩＤ・パスワード出力装置１の利用者は、多数のＩＤを事実上暗記できないので、所望のＩＤとパスワードの組を表示させるに際し、まず、想起名称を指定する。ここで、図示したように、クレジットカードＡの想起名称は「くあ」、クレジットカードＢの想起名称は「くび」、オークションサイトの想起名称は「億」、ブログ管理の想起名称は「兄弟」などとしている。このように、事実上本人しか分からない略語等によりそのサービスを特定しているので、セキュリティが高まることとなる。
【００３７】
想起名称指定部２０１は、たとえば、タッチパネル１０６、組情報格納部１３０と、リスト表示プログラム１２１と、サイン入力画面表示プログラム１２２などによりその機能を実現することができる。
【００３８】
サイン入力画面表示部２０２は、想起名称指定部２０１により想起名称が指定された場合に、サイン入力画面を表示する。図３（ｂ）は、サイン入力画面の構成例である。使用の態様によっては、サイン入力画面の上部がプルダウンメニューとなっており、想起名称のリストを表示および選択可能なようにしてもよい。すなわち、サイン入力画面は、想起名称が指定された後に別途立ちあがるような表示態様に限らず、想起名称が指定された後にサイン入力が可能な状態となっていればよい。すなわち、サイン入力画面の表示タイミングは特に限定されない。
【００３９】
また、サイン入力画面表示部２０２は、スタイラスペン１６１により入力されたサインを対話的に描画する。すなわち、描画軌跡が利用者に分かるように表示する。これにより、入力すべきサイン（の形状など）を認識しながら描画でき、本人認識率を向上させることができる。
【００４０】
図３（ｃ）に、想起名称「兄弟」に対するサインの例を示した。図では、「ブロ」と入力されている。すなわち、「ブログ」でもなく「ｂｌｏｇ」でもなく、サイン自体も事実上本人しか分からないサインとしており、この点からもセキュリティが高まる。
【００４１】
サイン入力画面表示部２０２は、たとえば、タッチパネル１０６と、スタイラスペン１６１と、サイン入力画面表示プログラム１２２と、ＯＳ１１１と、グラフィックスカード１０５などによりその機能を実現することができる。
【００４２】
サイン認証部２０３は、サイン入力画面表示部２０２により表示されたサイン入力画面に対して入力されたサインを、想起名称指定部２０１により指定された想起名称にかかるサイン情報に基づいて認証する。
【００４３】
サイン認証技術は、ここでは、スタイラスペン１６１を介した筆点すなわち座標およびその経時変化の情報および筆圧の経時変化の情報を用いている。これらから、描画形状、描画速度変化、筆圧変化、に関する特徴量等を抽出し、サイン情報と比較し、所定の範囲内であれば認証、範囲外であれば非認証とする。なお、ここで比較するサイン情報は、サイン入力に先だって指定された想起名称と組付けされているサイン情報であることはいうまでもない。また、このサイン情報は、認証に先立ち組情報格納部１３０から呼び出す。
【００４４】
サイン認証部２０３は、たとえば、スタイラスペン１６１と、タッチパネル１０６と、ＣＰＵ１０１と、ＲＡＭ１０３と、サイン入力画面表示プログラム１２２と、サイン認証プログラム１２３と、組情報格納部１３０と、組情報入出プログラム１２４などによりその機能を実現することができる。
【００４５】
なお、非認証である場合（認証されない場合）は、サイン入力画面表示部２０２が、サイン入力画面上に入力されたサイン（描画されたサイン）をクリアし、再度のサイン入力を受け付けるようにする。なお、連続して３回非認証である場合には、以降は入力できなくする制御をおこなう。
【００４６】
ＩＤ・パスワード出力部２０４は、サイン認証部２０３により入力されたサインが認証された場合に、当該想起名称にかかるＩＤとパスワードとを出力する。すなわち、表示させたかったＩＤとパスワードをタッチパネル１０６に表示させる。このＩＤとパスワードは、出力に先立ち組情報格納部１３０から呼び出す。図３（ｄ）は、サインし終わり認証ボタンを押下した直後にサイン入力画面の下に展開されるＩＤとパスワードの表示例を示した説明図。なお、画像でなくテキストとして出力することにより、コピー＆ペーストを可能とし、作業性を確保するようにしている。
【００４７】
ＩＤ・パスワード出力部２０４は、たとえば、タッチパネル１０６と、ＯＳ１１１と、組情報入出プログラム１２４と、ＩＤ・パスワード表示プログラム１２５と、組情報格納部１３０などによりその機能を実現することができる。
【００４８】
なお、ＩＤ・パスワード出力装置１は、予め、組情報をハードディスク１０４に記憶している。この組情報は、三情報入力画面とサイン登録画面とを介して紐付けされる。
【００４９】
三情報入力画面表示部２０５は、ＩＤと、当該ＩＤに対するパスワードと、当該ＩＤが何に関するＩＤであるかを想起させる想起名称と、の三情報を入力する三情報入力画面を表示する。図３（ｅ）は、三情報入力画面の例を示した説明図である。この画面は、テキスト情報であるＩＤとパスワードの組に、どのようなサービス等に対するＩＤであるかを想起させる想起名称を紐付けする画面といえる。
【００５０】
三情報入力画面表示部２０５は、タッチパネル１０６と、三情報入力画面表示プログラム１２６と、ＯＳ１１１などによりその機能を実現することができる。
【００５１】
サイン登録画面表示部２０６は、サイン登録画面を表示する。図３（ｆ）は、サイン登録画面の例を示した説明図である。図示したように、サイン登録画面はサイン入力画面と同一の入力面の大きさとしている。
【００５２】
サイン情報生成部２０７は、サイン登録画面表示部２０６により表示されたサイン登録画面に対して入力されたサインに基づき、サイン情報を生成する。サイン情報は、前述したように、筆点すなわち入力された座標およびその経時変化の情報および筆圧の経時変化の情報を用い、描画形状、描画速度変化、筆圧変化、に関する特徴量等を抽出し、生成する。
【００５３】
なお、認証精度を向上させるため、サイン情報生成部２０７は、利用者に同一サインを５回入力させる（図３（ｆ）参照）。すなわち、サイン情報生成部２０７はサイン登録画面表示部２０６と協働して、「サイン情報生成中です。あと４回同じサインを入力して下さい」とポップアップ表示する制御もおこなう（図示せず）。
【００５４】
サイン登録画面表示部２０６は、たとえば、タッチパネル１０６と、グラフィックスカード１０５と、サイン入力画面表示プログラム１２２と、ＯＳ１１１などによりその機能を実現することができる。
【００５５】
サイン情報生成部２０７は、タッチパネル１０６と、スタイラスペン１６１と、ＣＰＵ１０１と、ＲＡＭ１０２と、情報生成プログラム１２７などによりその機能を実現することができる。
【００５６】
組情報記憶管理部２０８は、三情報入力画面表示部２０５により表示された三情報入力画面に対して入力された三情報と、サイン情報生成部２０７により生成されたサイン情報とを、組にして組情報格納部１３０に記憶させる。すなわち、４つの情報を組付けまたは紐付けする。
【００５７】
組情報記憶管理部２０８は、たとえば、組情報格納部１３０と、組情報入出プログラム１２４などによりその機能を実現することができる。
【００５８】
以上、ＩＤ・パスワード出力装置１によれば、簡便かつセキュリティの高いＩＤ・パスワードの管理をおこなうことができる。すなわち、第三者からすると、第１に、想起名称がどのようなサービス等に対するものであるか分からず、第２に、どのようなサインが適合するかが分からず、第３に、サイン認証技術を高度化することにより他人許容率を下げることができる。よって、重畳的にセキュリティを高める一方、利用者自身は、特段複雑な操作が要求されない。
【００５９】
なお、本発明は、以上の態様に限定されない。
たとえば、図４に示したように、ネットワーク上に、複数の組情報を記憶させるようにしてもよい。これにより、デスクトップＰＣ、ノートＰＣ、スマートフォンなど、同一利用者が用いる複数の端末装置から利便性よくアクセスすることが可能となる。
【００６０】
また、認証の態様も上記に限定されない。単純に描画軌跡を図形と捉え、パタン認証する例や、筆圧、スタイラスペンの角度の経時変化の併用、用いる端末装置のＭＡＣアドレスの併用、などを実装してもよい。
【００６１】
なお、以上の例は、タッチパネル機能を有する端末装置の例を挙げたが、たとえば、マウスを用いたサインの入力態様を採用することもできる。
【産業上の利用可能性】
【００６２】
本発明によれば、操作性ないし使用感を損ねることなくＩＤおよびパスワードをセキュリティ高く管理することができる。
【符号の説明】
【００６３】
１        ＩＤ・パスワード出力装置
１０１  ＣＰＵ
１０３  ＲＡＭ
１０４  ハードディスク
１０５  グラフィックスカード
１０６  タッチパネル機能付モニタ（タッチパネル）、１６１   スタイラスペン
１１０  アプリケーション部
１１１  ＯＳ
１１２  管理プログラム群
１２１  リスト表示プログラム
１２２  サイン入力画面表示プログラム
１２３  サイン認証プログラム
１２４  組情報入出プログラム
１２５  ＩＤ・パスワード表示プログラム
１２６  三情報入力画面表示プログラム
１２７  情報生成プログラム
１３０  組情報格納部
２０１  想起名称指定部
２０２  サイン入力画面表示部
２０３  サイン認証部
２０４  ＩＤ・パスワード出力部
２０５  三情報入力画面表示部
２０６  サイン登録画面表示部
２０７  サイン情報生成部
２０８  組情報記憶管理部
【図１】
2016110547.tif 000003
【図２】
2016110547.tif 000004
【図３−１】
2016110547.tif 000005
【図３−２】
2016110547.tif 000006
【図３−３】
2016110547.tif 000007
【図４】
2016110547.tif 000008